(57)【要約】      （修正有）【課題】複数の原稿に係る複数の読取処理が中断後に再開された場合において、読み取り済みの原稿を再度読み取る必要をなくす。【解決手段】画像出力装置は、読取処理Ｓ１１後にタイムアウトしＳ１９、Ｓ１で接続された携帯端末が通話中であるとの端末状態を受信Ｓ２０していた場合Ｓ２１、それまでの読取処理Ｓ１１で生成された画像データと携帯端末のＩＰアドレスと電話番号を記憶しＳ２５、処理中断通知を携帯端末に送信するＳ２８。同じ携帯端末が再度接続されたときに、中断処理がある旨を携帯端末に通知しＳ５、携帯端末から中断処理再開命令を受信するとＳ７：ＹＥＳ、リストア処理Ｓ３０を行う。その後、残りの原稿の読取処理Ｓ１１後に、次の原稿がなくなってから、読取後処理Ｓ１５において画像を出力する。【選択図】図４
2020167505.tif 000002
【特許請求の範囲】
【請求項１】
原稿を読み取って画像データを生成する読取部と、
前記読取部で生成された画像データに基づいて画像を出力する画像出力部と、
端末装置と通信する通信部と、
記憶部と、
前記読取部、前記画像出力部、前記通信部及び前記記憶部を制御する制御部とを備えた画像出力装置であって、
前記制御部は、
前記通信部を介して端末装置から受信した読取命令に基づいて、前記読取部に原稿を読み取らせる読取処理と、
前記読取処理を少なくとも１回実行した後に所定事象が発生した場合に、実行済みの前記読取処理によって生成された画像データと、当該端末装置の識別情報とを含むバックアップデータ要素を、前記記憶部に記憶させるバックアップ処理と、
端末装置と前記通信部との通信が確立したときに、当該端末装置の識別情報を含む前記バックアップデータ要素が前記記憶部に記憶されているかを確認し、記憶されている場合には、中断処理がある旨を出力する通知処理と、
前記通知処理後に前記通信部を介して端末装置から再開命令を受信したときに、前記記憶部に記憶された一又は複数のバックアップデータ要素の中で当該端末装置の識別情報を含むバックアップデータ要素に係る画像データを、前記画像出力部による出力に用いられるものとして処理するリストア処理と、
端末装置から画像出力命令を受信したときに、前記画像出力部に画像の出力を行わせる画像出力処理とを実行する画像出力装置。
【請求項２】
前記制御部は、前記所定事象が発生したとき、当該発生時までに行った前記読取処理で生成された画像データに基づいた画像の出力を前記画像出力部に行わせないことを特徴とする請求項１に記載の画像出力装置。
【請求項３】
前記制御部は、
前記記憶部に記憶された一又は複数のバックアップデータ要素に係る一又は複数の端末装置に対して、当該端末装置の識別情報を用いて、前記バックアップデータ要素が前記記憶部に記憶されている旨のリマインド通知を行うリマインド処理をさらに実行することを特徴とする請求項１又は２に記載の画像出力装置。
【請求項４】
前記制御部は、
前記バックアップ処理において、当該バックアップ処理の実行時を示す時データを、前記バックアップ要素の一部として前記記憶部に記憶させ、
前記リマインド処理において、前記記憶部に記憶された一又は複数のバックアップデータ要素の中で、時データによって示されたバックアップ処理の実行時から第１所定時間以上経過しているバックアップデータ要素に係る端末装置に前記リマインド通知を行うことを特徴とする請求項３に記載の画像出力装置。
【請求項５】
前記制御部は、
前記リマインド処理において、前記記憶部に記憶された一又は複数のバックアップデータ要素の中で、時データによって示されたバックアップ処理の実行時から前記第１所定時間よりも長い第２所定時間以上経過しているバックアップデータ要素を削除することを特徴とする請求項４に記載の画像出力装置。
【請求項６】
前記端末装置が携帯電話機であって、前記識別情報が当該端末装置の電話番号であり、
前記制御部は、
前記リマインド処理において、当該端末装置に電話をかけることで前記リマインド通知を行うことを特徴とする請求項３〜５のいずれか１項に記載の画像出力装置。
【請求項７】
前記所定事象は、最新の前記読取処理に係る基準時点から前記通信部が新たな読取命令を受信することなく第３所定時間が経過することである請求項１〜６のいずれか１項に記載の画像出力装置。
【請求項８】
前記端末装置が携帯電話機であって、
前記所定事象は、最新の前記読取処理に係る基準時点から前記通信部が新たな読取命令を受信することなく第３所定時間が経過し且つ当該端末装置が通話中であることである請求項１〜６のいずれか１項に記載の画像出力装置。
【請求項９】
前記制御部は、
前記バックアップ処理の前に、前記バックアップ処理を行うかどうかを判定するバックアップ判定処理をさらに実行し、
前記バックアップ判定処理において、当該端末装置に係る前記バックアップデータ要素がすでに前記記憶部に記憶されており、且つ、当該バックアップ判定処理が前記リストア処理後に行われるものでない場合に、前記バックアップ処理を行わないと判定する請求項１〜８のいずれか１項に記載の画像出力装置。
【請求項１０】
前記画像出力部が、記録媒体に画像を形成する記録部及び画像データをファクシミリ送信するファックス送信部のいずれかである請求項１に記載の画像出力装置。
【請求項１１】
原稿を読み取って画像データを生成する読取部と、
前記読取部で生成された画像データに基づいて画像を出力する画像出力部と、
端末装置と通信する通信部と、
記憶部と、
前記読取部、前記画像出力部、前記通信部及び前記記憶部を制御する制御部とを備えた画像出力装置を動作させる出力動作プログラムであって、
前記出力動作プログラムは、前記制御部に、
前記通信部を介して端末装置から受信した読取命令に基づいて、前記読取部に原稿を読み取らせる読取処理と、
前記読取処理を少なくとも１回実行した後に所定事象が発生した場合に、実行済みの前記読取処理によって生成された画像データと、当該端末装置の識別情報とを含むバックアップデータ要素を、前記記憶部に記憶させるバックアップ処理と、
端末装置と前記通信部との通信が確立したときに、当該端末装置の識別情報を含む前記バックアップデータ要素が前記記憶部に記憶されているかを確認し、記憶されている場合には、中断処理がある旨を出力する通知処理と、
前記通知処理後に前記通信部を介して端末装置から再開命令を受信したときに、前記記憶部に記憶された一又は複数のバックアップデータ要素の中で当該端末装置の識別情報を含むバックアップデータ要素に係る画像データを、前記画像出力部による出力に用いられるものとして処理するリストア処理と、
端末装置から画像出力命令を受信したときに、前記画像出力部に画像の出力を行わせる画像出力処理とを実行させる出力動作プログラム。
【請求項１２】
画像出力装置と通信を行う端末装置を動作させる端末動作プログラムであって、
前記画像出力装置は、原稿を読み取って画像データを生成する読取部と、前記読取部で生成された画像データに基づいて画像を出力する画像出力部と、端末装置と通信する通信部と、記憶部とを備えており、
前記端末動作プログラムは、前記画像出力装置に、
前記通信部を介して端末装置から受信した読取命令に基づいて、前記読取部に原稿を読み取らせる読取処理と、
前記読取処理を少なくとも１回実行した後に所定事象が発生した場合に、実行済みの前記読取処理によって生成された画像データと、当該端末装置の識別情報とを含むバックアップデータ要素を、前記記憶部に記憶させるバックアップ処理と、
端末装置と前記通信部との通信が確立したときに、当該端末装置の識別情報を含む前記バックアップデータ要素が前記記憶部に記憶されているかを確認し、記憶されている場合には、中断処理がある旨を出力する通知処理と、
前記通知処理後に前記通信部を介して端末装置から再開命令を受信したときに、前記記憶部に記憶された一又は複数のバックアップデータ要素の中で当該端末装置の識別情報を含むバックアップデータ要素に係る画像データを、前記画像出力部による出力に用いられるものとして処理するリストア処理と、
端末装置から画像出力命令を受信したときに、前記画像出力部に画像の出力を行わせる画像出力処理とを実行させる端末動作プログラム。
【発明の詳細な説明】
【技術分野】
【０００１】
本発明は、原稿の読取部を有する画像出力装置に関する。
【背景技術】
【０００２】
特許文献１には、画像形成装置と、この画像形成装置と通信可能で、タッチパネルを有する携帯端末装置とを備えた情報処理システムが開示されている。携帯端末装置は、タッチパネルに対するユーザ操作に基づき画像形成指示（画像形成命令）を生成し、生成した画像形成指示を画像形成装置に送信する。
【先行技術文献】
【特許文献】
【０００３】
【特許文献１】特開２０１８−６９２８号公報
【発明の概要】
【発明が解決しようとする課題】
【０００４】
特許文献１に記載の技術において、画像形成装置が画像読取部を有するＭＦＰ（Multifunction Peripheral）である場合に、携帯端末装置に対するユーザ操作に基づいて、画像読取部で原稿の読取処理を行って画像データを生成し、この画像データに基づいて画像形成を行うことが考えられる。このような場合、例えば両面コピー（２つの原稿分の画像を１枚の用紙の両面にコピー）、２ｉｎ１（２つの原稿分の画像を１枚の用紙の片面にコピー）、ソートコピー（複数原稿の部単位コピー）などの複数の原稿を読み取ることを前提とした画像形成を行うには、ユーザは画像読取部に置かれた原稿を手作業で入れ替える毎にＭＦＰに読取命令を送信し、すべての原稿を読み取った後に画像形成命令を送信することになる。したがって、もし１枚以上の原稿を読み取った後であってすべての原稿を読み取る前に、ユーザが何らかの原因で操作を中断し、ＭＦＰに読取命令を送信しないような事象（例えば携帯端末装置がスマートフォンなどの携帯電話機であって、操作中に通話を開始したとき）が発生すると、ＭＦＰは既に読み取られた原稿に対応した画像データだけを用いて画像形成を行ってから生成済みの画像データを破棄するか、生成済みの画像データを破棄して画像形成を行わないかのいずれかになると考えられる。しかしながら、前者及び後者のいずれの場合も、ユーザが改めて画像形成を行おうとしたときに、読み取り済みの原稿を再度読み取らなければならず、ユーザの作業負担が大きくなる。なお、前者の場合は、用紙にユーザが所望しない画像が形成されることになり、用紙を無駄に消費することにもなる。また、同様の問題は、読取部で原稿を読み取ることに基づくファックス送信及び画像ファイル格納についても生じる。
【０００５】
本発明の目的は、複数の原稿に係る複数の読取処理が中断後に再開された場合において、読み取り済みの原稿を再度読み取る必要のない画像出力装置及びプログラムを提供することである。
【課題を解決するための手段】
【０００６】
本発明に係る画像出力装置は、原稿を読み取って画像データを生成する読取部と、前記読取部で生成された画像データに基づいて画像を出力する画像出力部と、端末装置と通信する通信部と、記憶部と、前記読取部、前記画像出力部、前記通信部及び前記記憶部を制御する制御部とを備えた画像出力装置である。そして、前記制御部は、前記通信部を介して端末装置から受信した読取命令に基づいて、前記読取部に原稿を読み取らせる読取処理と、前記読取処理を少なくとも１回実行した後に所定事象が発生した場合に、実行済みの前記読取処理によって生成された画像データと、当該端末装置の識別情報とを含むバックアップデータ要素を、前記記憶部に記憶させるバックアップ処理と、端末装置と前記通信部との通信が確立したときに、当該端末装置の識別情報を含む前記バックアップデータ要素が前記記憶部に記憶されているかを確認し、記憶されている場合には、中断処理がある旨を出力する通知処理と、前記通知処理後に前記通信部を介して端末装置から再開命令を受信したときに、前記記憶部に記憶された一又は複数のバックアップデータ要素の中で当該端末装置の識別情報を含むバックアップデータ要素に係る画像データを、前記画像出力部による出力に用いられるものとして処理するリストア処理と、端末装置から画像出力命令を受信したときに、前記画像出力部に画像の出力を行わせる画像出力処理とを実行する。
【０００７】
また、別の観点において、本発明は、画像出力装置を動作させる出力動作プログラムであって、画像出力装置の制御部に、読取処理と、バックアップ処理と、通知処理と、リストア処理と、画像出力処理とを実行させる。
【０００８】
さらに、別の観点において、本発明は、画像出力装置と通信を行う端末装置を動作させる端末動作プログラムであって、画像出力装置に、読取処理と、バックアップ処理と、通知処理と、リストア処理と、画像出力処理とを実行させる。
【発明の効果】
【０００９】
本発明によると、複数の原稿に係る複数の読取処理が中断後に再開した場合に、中断前に読み取った原稿に係る画像データとその後に行われた残りの読取処理で生成された画像データとを用いて画像の出力を行うことができる。したがって、両面コピー、２ｉｎ１、ソートコピーなどを行う場合に、再開後に読み取り済みの原稿を再度読み取る必要がない。
【図面の簡単な説明】
【００１０】
【図１】本発明の第１実施形態に係る画像出力装置としての複合機を示す斜視図である。
【図２】図１に示す複合機に搭載されたプリント部の内部構造を示す概略側面図である。
【図３】図１に示す複合機及び携帯端末を含む画像出力システムのブロック図である。
【図４】図１に示す複合機の動作を示すフローチャートである。
【図５】図１に示す複合機と通信する携帯端末の動作を示すフローチャートである。
【図６】図４のＳ９で行われる実施モードチェックの詳細を示すフローチャートである。
【図７】図４のＳ２３で行われるバックアップ判定の詳細を示すフローチャートである。
【図８】図４のＳ２５で行われるバックアップ処理の詳細を示すフローチャートである。
【図９】図４のＳ３で行われるリマインド通知の詳細を示すフローチャートである。
【図１０】図４のＳ５で行われる中断処理のあり／なし通知の詳細を示すフローチャートである。
【図１１】図４のＳ３０で行われるリストア処理の詳細を示すフローチャートである。
【発明を実施するための形態】
【００１１】
［システム全体構成］
以下、本発明の好適な一実施形態について、図面を参照しつつ説明する。本実施形態においては、プリント機能、スキャン機能、ファックス機能及びコピー機能を有する、いわゆる複合機（ＭＦＰ）と、一例としてスマートフォンであって通話機能を有する携帯端末とを含む画像出力システムについて説明する。なお、複合機には、プリント機能及びファックス機能のいずれか一方だけが備えられていてもよい。また、複合機は、スキャン機能を用いて原稿を読み取ることによって生成された画像データを、例えばjpeg、gifといった形式の画像ファイルとして装置内外のユーザが指定したフォルダに格納可能である。本実施形態において、携帯端末は複合機との間でＩＥＥＥ８０２．１１規格を使用したダイレクトな無線通信を確立することが可能である。
【００１２】
図１に示すように、複合機１は、筐体１１と、筐体１１の上面を被覆する位置と被覆しない位置との間で揺動可能となるように筐体１１に取り付けられたカバー３２と、筐体１１の下部に設けられた開口１３（図２参照）から筐体１１に着脱可能に収納された給紙トレイ９１と、排出トレイ５と、筐体１１の背部に位置するバイパストレイ９３（図２参照）とを含む。筐体１１内には、インクジェット方式で用紙に画像を形成するプリント部１０が配置されている。また、プリント部１０の上方には、原稿を読み取って画像データを生成するフラットベッド方式の読取部３０が配置されている。変形例として、読取部３０は原稿自動送り装置(ＡＤＦ：Auto Document Feeder)を有するものであってもよい。筐体１１の表面に配置された操作パネル１ａには、液晶パネルなどのディスプレイ及びテンキーが設けられておらず、コピー開始キーなどの数個の物理キー（例えば図２に示す操作キー２８）とガイドランプ（例えば図２に示すＬＥＤランプ２９）が設けられている。
【００１３】
読取部３０は、プラテンガラス３１と、カバー３２と、読取デバイス３３（図３参照）とを含む。プラテンガラス３１は、透光性を有する板状の部材であり、筐体１１の上面に形成された開口に嵌め込まれている。
【００１４】
図２は、複合機１内のプリント部１０の内部構成を示している。以下の説明においては、複合機１が使用可能に設置された状態（図２の状態）を基準として上下方向が定義され、筐体１１の開口１３が設けられている側を手前側（正面）として前後方向が定義され、複合機１を手前側（正面）から見て左右方向が定義される。
【００１５】
［プリント部］
プリント部１０は、図２に示すように、給紙トレイ９１、バイパストレイ９３、排出トレイ５、プリントモジュール６、搬送部７、及び制御部８を有する。給紙トレイ９１、プリントモジュール６、搬送部７、及び制御部８は、複合機１の筐体１１内に収容されている。制御部８は、複合機１全体の制御を行う。筐体１１内において、プリントモジュール６の下方には給紙トレイ９１が配置されている。筐体１１の前面には１以上の操作キー２８及び１以上のＬＥＤランプ２９が設けられている。なお、図２においては図示を省略しているが、複合機１は、プリントモジュール６よりも上方に配置されたフラットベッド方式の読取部（スキャナ）３０と、ファクシミリの受送信及び通話を行うファクシミリ及び電話通信部２６（図３参照）とをさらに有している。
【００１６】
給紙トレイ９１は、複数の用紙９を積層状態で支持して収容することが可能なものである。給紙トレイ９１は、筐体１１の正面に形成された開口１３から前後方向に挿抜可能となっている。なお、給紙トレイ９１の前方側の上方には排出トレイ５が配置されており、排出トレイ５は給紙トレイ９１と共に移動するようになっている。給紙トレイ９１は、用紙９を支持する支持面９１ａを有している。支持面９１ａは上下方向に垂直な面である。給紙トレイ９１が筐体１１内に位置しているときは、支持面９１ａは筐体１１の内部空間に露出している。給紙トレイ９１の後端部には、傾斜板９１ｂが設けられている。
【００１７】
バイパストレイ９３は、筐体１１の背面に形成された開口１４を閉塞可能に配置されている。バイパストレイ９３は、用紙９を支持する支持面９３ａを有するベース板９４の下端部が左右方向に延びる軸を中心に回動可能となっており、図２に破線で示すように、ベース板９４が起立状態となる位置（以降、単に「起立位置」と称する）であるときに開口１４を覆う。起立位置にあるときは、支持面９３ａは開口１４と対向している。バイパストレイ９３は、起立位置から、ベース板９４の下端部を中心に、上下方向に対して傾斜した位置（以降、単に「傾斜位置」と称する）まで回動する。傾斜位置にあるときは、支持面９３ａは回動軸を下方として斜め上方を向いている。ベース板９４の左右方向両端及び回動端とは反対側の端には支持面９３ａを取り囲むように立設させた側壁９５、９６が設けられており、バイパストレイ９３は略箱状に形成されている。ベース板９４の回動端とは反対側の端に立設された側壁９６は、ベース板９４側の端部が左右方向に延びる軸を中心に回動可能となっている。バイパストレイ９３に用紙９を支持させるときには、ベース板９４を傾斜位置とし、側壁９６を回動させてその内側面（バイパストレイ９３が略箱状であるときに内側を向く面）が支持面９３ａとほぼ面一となるようにする。このとき、バイパストレイ９３の支持面９３ａは外部に露出した状態となる。
【００１８】
本実施形態において、バイパストレイ９３における用紙最大積載量は、給紙トレイ９１における用紙最大積載量よりも少なくなっている。
【００１９】
プリントモジュール６は、キャリッジ６１と、記録ヘッド６３とを有している。キャリッジ６１は、２つのガイドレール６７ａ、６７ｂによって支持されている。２つのガイドレール６７ａ、６７ｂは、前後方向に互いに離隔して配置され、各々が左右方向に延設されている。キャリッジ６１は、２つのガイドレール６７ａ、６７ｂを跨ぐようにして配置されている。キャリッジ６１は、キャリッジ駆動モータ２１（図３参照）により、２つのガイドレール６７ａ、６７ｂに沿って主走査方向である左右方向に往復移動される。記録ヘッド６３は、キャリッジ６１に搭載されている。記録ヘッド６３は、インクカートリッジ（不図示）から供給されたインクを、下面のノズル面６９に設けられた複数のノズル（不図示）から吐出する。
【００２０】
搬送部７は、用紙９をプリント部１０の内部において搬送するものであり、給紙ローラ５０ａ、５０ｂ、搬送ローラ対７１、排出ローラ対７３、プラテン７５、及びガイド部材１６〜１９を含む。給紙ローラ５０ａは、給紙トレイ９１内の用紙９を後方に向かって送り出す。給紙ローラ５０ｂは、バイパストレイ９３内の用紙９を開口１４に向かって送り出す。
【００２１】
給紙ローラ５０ａは、給紙トレイ９１の上方に配置されている。給紙ローラ５０ａは、アーム５１ａの一端部に回動可能に支持されている。アーム５１ａの給紙ローラ５０ａを支持している一端側とは反対の他端部は、筐体１１に固定され左右方向に延びる支軸５２ａに支持されており、支軸５２ａを中心として左右方向と直交する面内で揺動可能となっている。アーム５１ａは、ばね（不図示）により給紙ローラ５０ａが給紙トレイ９１に支持された用紙９を押圧する方向に付勢されており、給紙ローラ５０ａは、給紙トレイ９１に支持された用紙のうちで最も上に位置する用紙９と接触するようになっている。また、給紙ローラ５０ａは、給紙モータ２２ａ（図３参照）からの駆動力が付与されて回転する。
【００２２】
給紙ローラ５０ｂは、バイパストレイ９３の支持面９３ａと対向する位置に配置されている。給紙ローラ５０ｂは、アーム５１ｂの一端部に回動可能に支持されている。アーム５１ｂの給紙ローラ５０ｂを支持している一端側とは反対の他端部は、バイパストレイ９３に固定され左右方向に延びる支軸５３ｂに支持されており、アーム５１ｂは支軸５３ｂを中心として左右方向と直交する面内で揺動可能となっている。また、アーム５１ｂは、ばね（不図示）により給紙ローラ５０ｂがバイパストレイ９３に支持された用紙のうちで最も上に位置する用紙９を押圧する方向に付勢されている。そして、給紙ローラ５０ｂは、給紙モータ２２ｂ（図３参照）からの駆動力が付与されて回転する。
【００２３】
給紙ローラ５０ｂ、アーム５１ｂ、及び支軸５３ｂは、バイパストレイ９３のベース板９４と３つの側壁９５、９６とで囲まれた領域に配置されている。すなわち、給紙ローラ５０ｂ、アーム５１ｂ、及び支軸５３ｂは、箱状のバイパストレイ９３内に収容される。
【００２４】
搬送ローラ対７１及び排出ローラ対７３は前後方向にプリントモジュール６を挟んで配置されており、搬送ローラ対７１はプリントモジュール６よりも後方に、排出ローラ対７３はプリントモジュール６よりも前方に配置されている。プラテン７５は、プリントモジュール６の下方においてプリントモジュール６のノズル面６９と対向するように配置されている。
【００２５】
搬送ローラ対７１は、搬送モータ２３（図３参照）からの駆動力が付与されて回転する駆動ローラ７１ａと、駆動ローラ７１ａの回転に伴って連れ回る従動ローラ７１ｂとにより構成されている。排出ローラ対７３は、搬送モータ２３からの駆動力が付与されて回転する駆動ローラ７３ａと、駆動ローラ７３ａの回転に伴って連れ回る従動ローラ７３ｂとにより構成されている。
【００２６】
ガイド部材１６〜１９は、筐体１１の後方端部付近に配置されている。ガイド部材１６、１７は前後方向に所定間隔を隔てて互いに対向している。ガイド部材１６、１７の間は、給紙トレイ９１から給紙された用紙９の搬送路となっている。ガイド部材１６、１７は、いずれも湾曲した板状部材であり、給紙トレイ９１の後方側の端部近傍から搬送ローラ対７１の近傍まで延びている。
【００２７】
給紙ローラ５０によって給紙トレイ９１から後方に送り出された用紙９は、給紙トレイ９１の後端部に設けられた傾斜板９１ｂにより斜め上方に向かい、ガイド部材１６、１７の間を通って、搬送ローラ対７１に挟持される位置に到達する。
【００２８】
ガイド部材１８、１９は、いずれも開口１４の近傍から搬送ローラ対７１の近傍まで延びる板状部材であり、上下方向に所定間隔を隔てて互いに対向している。ガイド部材１８、１９の間は、バイパストレイ９３から送り出された用紙９の搬送路となっている。ガイド部材１８、１９によって形成される搬送路と、ガイド部材１６、１７によって形成される搬送路とは、搬送ローラ対７１よりも上流において合流している。
【００２９】
給紙ローラ５０ｂによってバイパストレイ９３から給紙された用紙９は、開口１４を介して筐体１１内へと送り込まれ、ガイド部材１８、１９の間を通って、搬送ローラ対７１に挟持される位置に到達する。
【００３０】
給紙トレイ９１又はバイパストレイ９３から給紙されて搬送ローラ対７１に挟持された用紙９は、搬送ローラ対７１によって前方に搬送される。搬送ローラ対７１によって前方に搬送された用紙９は、プラテン７５によって支持された状態で、主走査方向に移動する記録ヘッド６３のノズル（不図示）からインクが吐出されて画像が記録される。記録済みの用紙９は、排出ローラ対７３によって前方に搬送されて、排出トレイ５に排出される。
【００３１】
［ブロック構成］
次に、図３を参照して、本実施形態に係る画像出力システムのブロック構成について説明する。図３に示すように、複合機１の制御部８には、上述した１以上の操作キー２８及び１以上のＬＥＤランプ２９が電気的に接続されている。操作キー２８は、ユーザ操作に応じた出力信号を制御部８に出力する。操作キー２８は、モノクロコピー機能、カラーコピー機能のいずれかを選択且つ実行するための２つのキーを少なくとも含んでいる。ＬＥＤランプ２９は、制御部８からの出力信号に基づいて表示態様（消灯、点灯、点滅など）が切り替わることで、ユーザへの報知を行うことができる。
【００３２】
また、制御部８には、プリント部１０のキャリッジ駆動モータ２１、記録ヘッド６３、給紙モータ２２ａ、２２ｂ、搬送モータ２３、及び、ＡＤＦセンサ２４が電気的に接続されている。ＡＤＦセンサ２４は、筐体１１の上面に原稿自動送り装置が取り付けられているかを検知する。さらに、制御部８には、読取部３０に含まれる、読取デバイス３３のイメージセンサ４１及び光源４３、並びに、移動機構３４のモータ５９が電気的に接続されている。移動機構３４は、読取デバイス３３を、プラテンガラス３１の上面と平行な面内において往復移動させる。制御部８には、ＵＳＢ(Universal Serial Bus)インターフェース２５が電気的に接続されている。ＵＳＢインターフェース２５は、ＵＳＢ規格のインターフェースであり、リムーバブルメモリとしてのＵＳＢメモリを接続することができる。
【００３３】
制御部８には、ファクシミリ及び電話通信部２６及びネットワーク通信部２７も接続されている。ファクシミリ及び電話通信部２６は、電話回線を介して、通信先装置との間でファクシミリ信号としての画像データの受送信、及び、所望の通話先との音声通信を行う。ネットワーク通信部２７は、有線ＬＡＮ、無線ＬＡＮなどの各種通信規格に準拠したネットワーク通信を行う。したがって、複合機１は、これら通信規格に準拠した外部通信機器とネットワーク通信部２７を介して通信することができる。
【００３４】
制御部８は、図３に示すように、ＣＰＵ（Central Processing Unit）８１、ＲＯＭ（Read Only Memory）８２、ＲＡＭ（Random Access Memory）８３、ＥＥＰＲＯＭ（Electrically Erasable Programmable Read-Only Memory）８４、ＡＳＩＣ（Application Specific Integrated Circuit）８５を含み、これらが協働して、プリント部１０、ファクシミリ及び電話通信部２６、ネットワーク通信部２７及び読取部３０の各部の動作を制御する。
【００３５】
なお、図３では、ＣＰＵ８１及びＡＳＩＣ８５を１つずつ図示しているが、制御部８は、ＣＰＵ８１を１つだけ含み、この１つのＣＰＵ８１が必要な処理を一括して行うものであってもよいし、ＣＰＵ８１を複数含み、これら複数のＣＰＵ８１が必要な処理を分担して行うものであってもよい。また、制御部８は、ＡＳＩＣ８５を１つだけ含み、この１つのＡＳＩＣ８５が必要な処理を一括して行うものであってもよいし、ＡＳＩＣ８５を複数含み、これら複数のＡＳＩＣ８５が必要な処理を分担して行うものであってもよい。
【００３６】
携帯端末１１０は、制御部（端末制御部）１１１と、タッチパネル式のディスプレイ１１２と、無線ＬＡＮ及び無線通信回線を介して外部機器との間でデータ通信を行う通信ユニット１１３と、無線通信回線を介して音声通信を行う通話ユニット１１４とを有している。図示を省略するが、制御部１１１は、ＣＰＵ、ＲＯＭ、ＥＥＰＲＯＭ、ＲＡＭ、ＡＳＩＣを含み、これらが協働して、携帯端末１１０の各部の動作を制御する。
【００３７】
本実施形態において、ＥＥＰＲＯＭには、携帯端末１１０のオペレーティングシステムに係るソフトウェアと、携帯端末１１０からコピー、ファクシミリ送信、画像ファイル格納などの複合機１の各種動作を制御するために用いられるソフトウェア（以下「複合機アプリ」と称する）とが格納されており、複合機アプリを起動させて複合機アプリの操作画面がディスプレイ１１２に表示された状態においてユーザがディスプレイ１１２にタッチ操作を行うことで、複合機アプリはタッチ操作に応じた処理を行う。
【００３８】
［複合機及び携帯端末の動作］
次に、携帯端末１１０において複合機アプリを操作することに基づいて、複合機１の読取部３０で原稿を読み取ることによって生成された画像データを用いて、（ａ）プリント部１０での用紙への画像形成、（ｂ）ファクシミリ及び電話通信部２６を介したファックス送信、（ｃ）ＵＳＢインターフェース２５またはネットワーク通信部２７を介した外部記憶装置への画像ファイルの格納の（これらを「画像出力」と総称する）いずれかを行う場合の複合機１及び携帯端末１１０の動作の一例について、図４〜１１をさらに参照して説明する。以下に説明する動作は、複合機１の制御部８及び携帯端末１１０の制御部１１１による制御に従って実行される。複合機１には出力動作プログラムがインストールされており、複合機１の制御部８は、この出力動作プログラムに基づいて複合機１に係る各種の処理を行う。同様に、携帯端末１１０には端末動作プログラムがインストールされており、携帯端末１１０の制御部１１１は、この端末動作プログラムに基づいて携帯端末１１０に係る各種の処理を行う。なお、図４は複合機１の動作を示し、図５は携帯端末１１０の動作を示している。図６〜図１１のそれぞれは、図４に示した幾つかの処理の詳細を示している。
【００３９】
＜Ａ  複数の原稿の読取処理中に処理中断が発生しない場合＞
（複合機の動作）
複合機１は、Ｓ１において、例えば携帯端末１１０である外部端末との接続が開始されて通信が確立したかを判断し、通信が確立していないと判断すると（Ｓ１：ＮＯ）、外部端末と接続されていないときに行うコピー、ファックス送受信などの通常処理を行う（Ｓ２）。そして、後述するリマインド処理（Ｓ３：図９）を行ってからＳ１に戻る。通信が確立したと判断すると（Ｓ１：ＹＥＳ）、Ｓ４において携帯端末１１０とのセッションを開始する。そして、後述する中断処理のあり／なし通知処理（Ｓ５：図１０）を行ってから、後述するセッション切断命令（図５のＳ７２）を携帯端末１１０から受信したかを判断する（Ｓ６）。セッション切断命令を受信したと判断した場合（Ｓ６：ＹＥＳ）、Ｓ２９に進んで一連の処理を終了する。
【００４０】
セッション切断命令を受信していないと判断した場合（Ｓ６：ＮＯ）、後述する中断処理再開命令（図５のＳ７３）を携帯端末１１０から受信したかを判断し（Ｓ７）、受信していないと判断すると（Ｓ７：ＮＯ）、後述するスタート命令（図５のＳ５５）を携帯端末１１０から受信したかを判断し（Ｓ８：ＹＥＳ）、受信していなかった場合は（Ｓ８：ＮＯ）、Ｓ６に戻る。受信したと判断した場合は（Ｓ８：ＹＥＳ）、Ｓ９に進んで実施モードチェック（Ｓ９）を行う。スタート命令は、複合機アプリの操作画面に表示された操作キーがタッチされたときに携帯端末１１０が送信するものであり、複合機１に、（ａ）、（ｂ）及び（ｃ）のいずれの処理を行わせるかの指示及び各処理の詳細設定（例えば、両面コピー、２ｉｎ１、ソートコピーのいずれとするか）に関する指示を含んでいる。
【００４１】
Ｓ９で行われる実施モードチェックの詳細を図６に示す。実施モードチェックでは、まず、ネクストスキャンフラグをオフとしてから（Ｓ９０１）、ＡＤＦセンサ２４がオフであるかを判断する（Ｓ９０２）。本実施形態において、ＡＤＦセンサ２４がオンであることは筐体１１上に原稿自動送り装置が装着されていることを示している。ＡＤＦセンサ２４がオンであれば通常原稿が連続して読み取られるため、ＡＤＦセンサ２４がオンと判断すると（Ｓ９０２：ＮＯ）、本サブルーチンを終了してＳ１０に進む。ＡＤＦセンサ２４がオフと判断すると（Ｓ９０２：ＹＥＳ）、Ｓ８で受信したスタート命令が（ａ）、（ｂ）及び（ｃ）のいずれの処理を複合機１に行わせるものであったかをＳ９０３、Ｓ９０４及びＳ９０５によって判断する。
【００４２】
（ａ）すなわちコピー処理を行わせるものであると判断すると（Ｓ９０３：ＹＥＳ）、コピー処理が両面コピー、２ｉｎ１コピー、４ｉｎ１コピー、ソートコピーのいずれかに該当するかをＳ９０６で判断する。これら４つの場合には、２枚以上の原稿の読み取りが必要となる。これら４つのいずれでもないと判断された場合には（Ｓ９０６：ＮＯ）、Ｓ１０に進む。これら４つのいずれかであると判断された場合には（Ｓ９０６：ＹＥＳ）、ネクストスキャンフラグをオンとしてから（Ｓ９０７）、Ｓ１０に進む。
【００４３】
（ｂ）すなわちファックス送信処理を行わせるものであると判断すると（Ｓ９０４：ＹＥＳ）、ファックス送信処理において「モノクロ且つリアルタイム送信設定」がオフかどうかをＳ９０８で判断する。本実施形態では「モノクロ且つリアルタイム送信設定」がオフの場合には、２枚以上の原稿の読み取りが必要であるとデフォルト設定されているものとする。「モノクロ且つリアルタイム送信設定」がオフでないと判断された場合には（Ｓ９０８：ＮＯ）、Ｓ１０に進む。「モノクロ且つリアルタイム送信設定」がオフであると判断された場合には（Ｓ９０８：ＹＥＳ）、ネクストスキャンフラグをオンとしてから（Ｓ９０７）、Ｓ１０に進む。
【００４４】
（ｃ）すなわち画像ファイル格納処理を行わせるものである場合には、複数の原稿分をまとめて１つの画像ファイルとして出力する、及び、１枚の原稿をそれぞれ１つの画像ファイルとして出力するのいずれの設定となっているかをさらに判断し、前者であると判断すると（Ｓ９０５：ＹＥＳ）、ネクストスキャンフラグをオンとしてから（Ｓ９０７）、Ｓ１０に進む。後者であると判断すると（Ｓ９０５：ＮＯ）、ネクストスキャンフラグをオンとせずにＳ１０に進む。
【００４５】
図４に戻って、Ｓ１０では、ネクストスキャンフラグがオンであるかを判断する。ネクストスキャンフラグがオフであると判断すると（Ｓ１０：ＮＯ）、Ｓ１６において通常処理が行われる。ここでの通常処理とは、原稿が１枚である場合における（ａ）、（ｂ）及び（ｃ）のそれぞれにおいて行われる処理（１枚の原稿の読取処理に引き続いて行われるコピー、ファックス送信、画像ファイル格納）である。
【００４６】
続いて、Ｓ１７では、読取処理で生成された画像データのＲＡＭ８３からの削除及び（ａ）、（ｂ）及び（ｃ）の処理に係る各種設定値のＲＡＭ８３からの削除を行う。そして、Ｓ１８において、処理完了を携帯端末１１０に通知して、Ｓ６に戻る。
【００４７】
一方、ネクストスキャンフラグがオンであると判断すると（Ｓ１０：ＹＥＳ）、Ｓ１１において、読取部３０のプラテンガラス３１上に置かれた１枚の原稿の読取処理を行う。続いて、Ｓ１２において、読取完了を携帯端末１１０に通知した後、後述する次の原稿あり命令（図５のＳ６７）を携帯端末１１０から受信したかを判断する（Ｓ１３）。次の原稿あり命令を受信したと判断した場合（Ｓ１３：ＹＥＳ）、Ｓ１１に戻って再度読取処理を行う。次の原稿あり命令を受信していないと判断した場合（Ｓ１３：ＮＯ）、後述する次の原稿なし命令（図５のＳ６８）を携帯端末１１０から受信したかを判断する（Ｓ１４）。次の原稿なし命令を受信したと判断した場合（Ｓ１４：ＹＥＳ）、Ｓ１５に進む。
【００４８】
次の原稿なし命令を受信していないと判断した場合（Ｓ１４：ＮＯ）、Ｓ１９において、最新の読取処理（Ｓ１１）の終了時点から所定時間が経過したかを判断する。変形例として、当該所定時間は、Ｓ１１の読取処理の開始時点から計測したものでもよいし、Ｓ１１における読取処理の途中の任意の時点から計測したものでもよい。所定時間が経過していないと判断された場合（Ｓ１９：ＮＯ）、Ｓ２０において、携帯端末１１０から後述する端末状態（図５のＳ６３）を示すデータ（以下、「端末状態データ」と記する）を受信してＲＡＭ８３に保存し、Ｓ１３に戻る。本実施形態において、端末状態データは、携帯端末１１０が通話中であるか否かと、携帯端末１１０のＩＰアドレス及び電話番号を含んでいる。なお、Ｓ２０の端末状態受信処理は所定時間が経過したと判断されるまで複数回実行されるが、その都度、端末状態データが上書き保存される。その後、所定時間が経過したと判断された場合（Ｓ１９：ＹＥＳ）、ＲＡＭ８３に保存された端末状態データが「通話中」を示しているかを判断する（Ｓ２１）。そして、「通話中」を示していないと判断すると（Ｓ２１：ＮＯ）、Ｓ２２において、読取タイムアウトを携帯端末１１０に通知し、Ｓ１５に進む。
【００４９】
Ｓ１５では、読取後処理を行う。読取後処理とは、一又は複数の読取処理（Ｓ１１）で得られた画像データを用いた（ａ）、（ｂ）及び（ｃ）いずれかの処理であって、（ａ）すなわちコピー処理においては、プリント部１０での用紙への画像の形成であり、（ｂ）すなわちファックス送信処理においては、ファクシミリ及び電話通信部２６での画像データのファックス送信であり、（ｃ）すなわち画像ファイル格納処理においては、指定フォルダへの画像ファイルの格納である。
【００５０】
本実施形態において、次の原稿なし命令を受信したと判断した場合（Ｓ１４：ＹＥＳ）におけるＳ１５の読取後処理は、必要な原稿がすべて読み取られた後に実行されるため、ユーザが所望する出力結果が得られる。これに対して、Ｓ２２で読取タイムアウトが携帯端末１１０に通知された場合におけるＳ１５の読取後処理は、その時点までで行った読取処理で生成された画像データに基づいて（ａ）、（ｂ）又は（ｃ）の処理が実行される。したがって、ユーザが所望する出力結果が得られないことがある。例えば、両面コピーが命令された場合に、用紙の片面だけに画像が形成されることがある。変形例として、Ｓ２２で読取タイムアウトが携帯端末１１０に通知された場合、Ｓ１５に進まず、後述するキャンセル処理（Ｓ２７）に進んでもよい。
【００５１】
（携帯端末の動作）
まず、複合機１との接続が開始されて通信が確立してから（Ｓ５１）、後述する中断処理情報通知（Ｓ５０３：図１０）の有無判断（Ｓ５２）を行い、中断処理情報通知が無いと判断すると（Ｓ５２：ＮＯ）、Ｓ５４において、複合機アプリの操作画面に表示された（ａ）、（ｂ）及び（ｃ）のいずれかの機能スタートキーがユーザによってタッチされたかを判断する。タッチされたと判断された場合（Ｓ５４：ＹＥＳ）、Ｓ５５において、当該タッチされた（ａ）、（ｂ）及び（ｃ）のいずれかに係るスタート命令を複合機１に送信する。
【００５２】
その後、図６で説明したのと同じ実施モードチェックを携帯端末１１０においても行う（Ｓ５６）。なお、本実施形態において、ＡＤＦセンサ２４の出力は、Ｓ５６の処理を行う時点又はそれ以前に複合機１から携帯端末１１０に送信される。一方、タッチされていないと判断された場合（Ｓ５４：ＮＯ）、Ｓ７１に進む。Ｓ７１においては、ユーザによる複合機アプリの操作画面への操作に基づいてセッションの切断を複合機１に要求するかを判断し、セッションの切断を要求しなければ（Ｓ７１：ＮＯ）、Ｓ５３の処理に戻る。セッションの切断を要求するのであれば（Ｓ７１：ＹＥＳ）、セッション切断命令を複合機１に通知する（Ｓ７２）。
【００５３】
次に、Ｓ５７では、ネクストスキャンフラグがオンであるかを判断する。オフであると判断すると（Ｓ５７：ＮＯ）、Ｓ７０において通常処理を行ってからＳ７１に進む。Ｓ７０の通常処理では、上述したＳ１６の通常処理に対応して、（ａ）、（ｂ）及び（ｃ）のうちのユーザが選択したいずれかの処理の複合機１における動作状態（動作中、完了又は停止）をディスプレイ１１２に表示させる。なお、Ｓ７０で通常処理を行うために、携帯端末１１０は、複合機１の動作状態を複数回取得する。一方、オンであると判断すると（Ｓ５７：ＹＥＳ）、Ｓ５８において、複合機１から処理完了通知（図４のＳ１８）を受信したかを判断する。処理完了通知を受信したと判断した場合（Ｓ５８：ＹＥＳ）、Ｓ７１に進む。
【００５４】
処理完了通知を受信していないと判断した場合（Ｓ５８：ＮＯ）、Ｓ５９において、複合機１から読取完了通知（Ｓ１２）を受信したか否かを判断する。読取完了通知を受信したと判断した場合（Ｓ５９：ＹＥＳ）、次の原稿の有無をユーザに確認させるために、複合機アプリの操作画面に「次の原稿はありますか？」というテキストメッセージと、「はい」及び「いいえ」というアイコンとを表示させてから（Ｓ６０）、Ｓ５８に戻る。読取完了通知を受信していないと判断した場合（Ｓ５９：ＮＯ）、Ｓ６１において、複合機１が送信した読取タイムアウト（Ｓ２２）を受信したか否かを判断する。
【００５５】
読取タイムアウトを受信していないと判断した場合（Ｓ６１：ＮＯ）、後述する読取後処理（Ｓ６９）を行って、Ｓ５８に戻る。読取タイムアウトを受信したと判断した場合（Ｓ６１：ＹＥＳ）、Ｓ６２において、「携帯端末１１０が通話中かつ未通知」の判断を行う。この判断は、携帯端末１１０自身の通話ユニット１１４の状態（通話中状態又は非通話状態）を示すフラグと、次に説明するＳ６３の端末状態通知処理をＳ５１の開始後に実行したか否かを示すフラグ（これらフラグは制御部１１１内の記憶装置に記憶されている）とに基づいて行われる。
【００５６】
「携帯端末１１０が通話中かつ未通知」であると判断すると（Ｓ６２：ＹＥＳ）、Ｓ６３において、端末状態（携帯端末１１０が通話中であるか否かと、携帯端末１１０のＩＰアドレス及び電話番号）を複合機１に通知し、Ｓ５８に戻る。「携帯端末１１０が通話中かつ未通知」でないと判断すると（Ｓ６２：ＮＯ）、Ｓ６４に進む。Ｓ６４では、Ｓ６０での表示に対して「はい」及び「いいえ」のいずれかのアイコンをユーザが所定時間内にタッチしたかを判断する。いずれもタッチされず（Ｓ６４：ＮＯ）、さらに、後述する処理中断通知（図４のＳ２８）を複合機１から受信していなかった場合（Ｓ６５：ＮＯ）には、Ｓ５８に戻る。
【００５７】
「はい」及び「いいえ」のいずれかのアイコンがタッチされた場合（Ｓ６４：ＹＥＳ）、Ｓ６６において、「はい」及び「いいえ」のいずれのアイコンがタッチされたかを判断する。「はい」がタッチされた場合（Ｓ６６：ＹＥＳ）、次の原稿が読取部３０のプラテンガラス３１上にセットされた旨を示す次の原稿あり命令を複合機１に通知し（Ｓ６７）、Ｓ５８に戻る。一方、「いいえ」がタッチされた場合（Ｓ６６：ＮＯ）、次の原稿がない旨を示す次の原稿なし命令を複合機１に通知する（Ｓ６８）。そして、読取後処理を行ってから（Ｓ６９）、Ｓ５８に戻る。Ｓ６９の読取後処理では、上述したＳ１５の読取後処理に対応して、（ａ）、（ｂ）及び（ｃ）のうちのユーザが選択したいずれかの処理の複合機１における動作状態（動作中、完了又は停止）をディスプレイ１１２に表示させる。なお、Ｓ６９で読取後処理を行うために、携帯端末１１０は、複合機１の動作状態を複数回取得する。
【００５８】
＜Ｂ  複数の原稿の読取処理中に処理中断が発生する場合＞
（複合機の動作）
主に、Ａで説明した処理中断が発生しない場合との相違点について、まず複合機１が行う動作を説明する。本実施形態において中断として扱うのは、次の原稿の有無が不明なままで携帯端末１１０が通話中という理由でタイムアウト（所定時間経過）が発生する場合である。すなわち、所定時間が経過していると判断された（Ｓ１９：ＹＥＳ）後に、端末状態が「通話中」を示していると判断した場合（Ｓ２１：ＹＥＳ）である。この場合、携帯端末１１０は、Ｓ２３において、バックアップ判定を行う。
【００５９】
バックアップ判定の詳細を図７に示す。バックアップ判定においては、まず、Ｓ２３１において、ＲＡＭ８３に保存されるバックアップフラグをオフにする。そして、ＥＥＰＲＯＭ８４の空き容量が所定量以上であるかを判断する（Ｓ２３２）。空き容量が所定量未満であれば（Ｓ２３２：ＮＯ）、バックアップ判定を終了する。空き容量が所定量以上であれば（Ｓ２３２：ＹＥＳ）、ＥＥＰＲＯＭ８４に格納された一又は複数のバックアップデータ要素から、まだ次に行うＳ２３４でのチェック対象となっていない一つのバックアップデータ要素をピックアップする（Ｓ２３３）。各バックアップデータ要素は、後述するバックアップ処理（Ｓ２５）でＥＥＰＲＯＭ８４に格納されたものである。本実施形態において、各バックアップデータ要素は、画像データ、実施モード設定、年月日を含むバックアップ時刻、携帯端末１１０のＩＰアドレス、及び、携帯端末１１０の電話番号のデータを含んでいる。バックアップデータ要素に含まれる画像データは、バックアップ判定時点までに実行済みの読取処理（Ｓ１１）によって生成されたものである。実施モード設定は、上述した（ａ）、（ｂ）及び（ｃ）のいずれの処理を複合機１に行わせるかと、各処理の詳細設定とを含む設定情報である。なお、Ｓ２３３でのピックアップの順序は問わないが、一例としてバックアップ時刻が古いものから順にピックアップしてよい。
【００６０】
Ｓ２３４では、Ｓ２３３でピックアップされた一つのバックアップデータ要素に含まれるＩＰアドレスが、Ｓ２０で受信した端末状態データに含まれるＩＰアドレスと一致するかをチェックする。一致しない場合は（Ｓ２３４：ＮＯ）、Ｓ２３５において、ＥＥＰＲＯＭ８４に格納されたすべてのバックアップデータ要素をチェックしたかを判断する。すべてチェックしていないと判断すると（Ｓ２３５：ＮＯ）、Ｓ２３３に戻る。すべてチェックしたと判断すると（Ｓ２３５：ＹＥＳ）、Ｓ２３６でバックアップフラグをオンとし、バックアップ判定を終了する。
【００６１】
一方、一致する場合は（Ｓ２３４：ＹＥＳ）、Ｓ２３７に進む。Ｓ２３７では、当該バックアップ判定が後述するリストア処理（Ｓ３０）後に行われているか否か、つまりＩＰアドレスが一致するバックアップデータ要素がＥＥＰＲＯＭ８４に格納されている場合にユーザが中断処理を再開させた（Ｓ５３：ＹＥＳ）か否かを判断する。リストア処理後に行われたものでないと判断すると（Ｓ２３７：ＮＯ）、バックアップフラグをオンせずに、バックアップ判定を終了する。つまり、本実施形態において、中断処理があるにも拘わらずユーザが中断処理を再開させなかった場合は、同一ＩＰアドレス（識別情報）をもつ携帯端末１１０について、いずれを優先させるべきか不明な複数のバックアップデータ要素が格納されるのを防ぐために、バックアップ対象外とする。リストア処理後に行われたものであると判断すると（Ｓ２３７：ＹＥＳ）、バックアップフラグをオンとし（Ｓ２３８）、ＥＥＰＲＯＭ８４に格納された当該ＩＰアドレスに係るバックアップデータ要素を削除してから（Ｓ２３９）、バックアップ判定を終了する。
【００６２】
次に、Ｓ２４において、バックアップフラグがオンであるか否かを判断する。バックアップフラグがオンであれば（Ｓ２４：ＹＥＳ）、Ｓ２５において、バックアップ処理を行う。
【００６３】
バックアップ処理においては、図８に示すように、Ｓ２５１において、読取部３０での原稿の読取処理（Ｓ１１）によって生成された画像データ（バックアップ判定においてＳ２３８を経由した場合は、リストアされた画像データを含む）、実施モード設定（Ｓ８で受信したスタート命令に含まれる）、年月日を含むバックアップ時刻、携帯端末１１０のＩＰアドレス、及び、携帯端末１１０の電話番号のデータを含むバックアップデータ要素をＥＥＰＲＯＭ８４に格納する。携帯端末１１０のＩＰアドレス、及び、携帯端末１１０の電話番号のデータは、Ｓ２０において携帯端末１１０から受信した端末状態データに含まれていたものである。
【００６４】
バックアップ処理の終了後、Ｓ２８において、複数の原稿に係る複数の読取処理が中断されたこと、つまり処理中断を携帯端末１１０に通知する。そして、Ｓ２９においてセッションを切断して一連の処理を終了する。
【００６５】
また、バックアップフラグがオフであれば（Ｓ２４：ＮＯ）、Ｓ２７において画像データ及び各種設定値の削除（キャンセル処理）を行ってから、Ｓ２８に進む。
【００６６】
このように、本実施形態では、最新の読取処理（Ｓ１１）の終了時点から新たな読取命令を受信することなく所定時間が経過したときにバックアップ処理を行うので、ユーザが何ら操作を行わなくても自動的にバックアップを行うことができる。また、単にタイムアウト（Ｓ１９：ＹＥＳ）だけをバックアップ処理を実行する条件にすると、ユーザが何らかの事情で故意に携帯端末１１０の操作を後回しにしていた場合にもバックアップ処理が行われてしまう。しかし、スマートフォンの通常の使用形態では通話中にディスプレイをタッチ操作できないことから、本実施形態では、タイムアウト（Ｓ１９：ＹＥＳ）に加えて通話中である（Ｓ２１：ＹＥＳ）という条件を満たしたときにバックアップ処理を行うことにより、ユーザが故意に携帯端末１１０の操作を後回しにしていた訳ではないことを確認できるため、ユーザの意に反してバックアップ処理が行われるのを防止することができる。
【００６７】
また、本実施形態では、タイムアウト（Ｓ１９：ＹＥＳ）及び通話中（Ｓ２１：ＹＥＳ）と判断した場合に、それまでに行った読取処理（Ｓ１１）で生成された画像データに基づいた用紙への画像形成、ファクシミリ送信、画像ファイル格納をいずれも行わずに、Ｓ２９でセッションを切断する。したがって、ユーザの意に沿わない画像形成などが行われることがない。また、画像出力が画像形成又はファクシミリ送信の場合であっても、用紙が無駄に消費されることがない。
【００６８】
（携帯端末の動作）
次に、Ａで説明した処理中断が発生しない場合との相違点について、携帯端末１１０が行う動作を説明する。携帯端末１１０は、Ｓ６５において、処理中断通知（Ｓ２８）を複合機１から受信したかを判断し、受信していた場合（Ｓ６５：ＹＥＳ）、一連の処理を終了する。
【００６９】
＜Ｃ  中断後に処理が再開される場合＞
（複合機の動作）
次に、中断後の処理再開に関する複合機１の動作を説明する。上述したように、複合機１は、外部端末と接続されていないときに、リマインド処理（Ｓ３）を行う。
【００７０】
リマインド処理の詳細を図９に示す。リマインド処理においては、まず、Ｓ３０１において、ＥＥＰＲＯＭ８４に格納された一又は複数のバックアップデータ要素から、まだ次に行うＳ３０２でのチェック対象となっていない一つのバックアップデータ要素をピックアップする。各バックアップデータ要素は、バックアップ処理（Ｓ２５）でＥＥＰＲＯＭ８４に格納されたものである。上述したように各バックアップデータ要素は、画像データ、実施モード設定、年月日を含むバックアップ時刻、携帯端末１１０のＩＰアドレス、及び、携帯端末１１０の電話番号のデータを含んでいる。なお、Ｓ３０１でのピックアップの順序は問わないが、一例としてバックアップ時刻が古いものから順にピックアップしてよい。
【００７１】
Ｓ３０２では、Ｓ３０１でピックアップされた一つのバックアップデータ要素に含まれるバックアップ時刻から現在時刻まで６時間以上経過しており、且つ、当該バックアップデータ要素について後述するＳ３０４の音声案内を行っていない、という条件が満たされるかを判断する。条件が満たされる場合（Ｓ３０２：ＹＥＳ）、当該バックアップデータ要素に含まれる電話番号を読み出し（Ｓ３０３）、当該携帯端末１１０に電話をかけて中断処理が残っている旨を音声で伝える（Ｓ３０４）。このように、本実施形態では、ＥＥＰＲＯＭ８４に所定条件を満たすバックアップデータ要素が格納されている場合に、リマインド通知を行うことで、ユーザに読み取りが中断していることを知らせることができる。また、電話場番号を用いて携帯端末１１０に電話をかけて音声案内を行うことで、容易且つ確実にリマインド通知を行うことができる。さらに、バックアップ時刻から現在時刻まで６時間以上経過するまではリマインド処理が行われないため、中断直後にリマインド通知が行われるのを防止できる。
【００７２】
変形例として、当該バックアップデータ要素にメールアドレスが含まれている場合には、当該メールアドレスを読み出し、当該携帯端末１１０に電子メールを送信して中断処理が残っている旨をテキストメッセージとして伝えてもよい。Ｓ３０４の終了後及び条件が満たされない場合（Ｓ３０２：ＮＯ）、Ｓ３０５に進む。
【００７３】
Ｓ３０５では、Ｓ３０１でピックアップされた一つのバックアップデータ要素に含まれるバックアップ時刻から現在時刻まで１２時間以上経過しているかを判断する。経過していた場合（Ｓ３０５：ＹＥＳ）、当該バックアップデータ要素を削除し（Ｓ３０６）、Ｓ３０７に進む。削除することで、ユーザが読取処理の続きを行う意思がない古いバックアップデータ要素がＥＥＰＲＯＭ８４に格納されたままとなるのを防止することができる。経過していなかった場合（Ｓ３０５：ＮＯ）、当該バックアップデータ要素を削除することなく、Ｓ３０７に進む。そして、Ｓ３０７において、ＥＥＰＲＯＭ８４に格納されたすべてのバックアップデータ要素をチェックしたかを判断する。すべてチェックしていないと判断すると（Ｓ３０７：ＮＯ）、Ｓ３０１に戻る。すべてチェックしたと判断すると（Ｓ３０７：ＹＥＳ）、リマインド処理を終了する。
【００７４】
Ｓ４でセッション開始後には、中断処理のあり／なし通知処理（Ｓ５）を行う。
【００７５】
中断処理のあり／なし通知処理の詳細を図１０に示す。中断処理のあり／なし通知処理においては、まず、Ｓ５０１において、ＥＥＰＲＯＭ８４に格納された一又は複数のバックアップデータ要素から、まだ次に行うＳ５０２でのチェック対象となっていない一つのバックアップデータ要素をピックアップする（Ｓ５０１）。各バックアップデータ要素は、バックアップ処理（Ｓ２５）でＥＥＰＲＯＭ８４に格納されたものである。上述したように各バックアップデータ要素は、画像データ、実施モード設定、年月日を含むバックアップ時刻、携帯端末１１０のＩＰアドレス、及び、携帯端末１１０の電話番号のデータを含んでいる。なお、Ｓ５０１でのピックアップの順序は問わないが、一例としてバックアップ時刻が古いものから順にピックアップしてよい。
【００７６】
Ｓ５０２では、Ｓ５０１でピックアップされた一つのバックアップデータ要素に含まれるＩＰアドレスが、Ｓ２０で受信した端末状態データに含まれるＩＰアドレスと一致するかをチェックする。一致する場合は（Ｓ５０２：ＹＥＳ）、Ｓ５０３において、中断処理情報を携帯端末１１０に通知する。本実施形態において、この通知は、携帯端末１１０に直接テキストメッセージを送信することによって行われる。変形例として、この通知は電話をかけること、及び、電子メールを送信することのいずれかで行ってもよい。また、別の変形例として、複合機１のＬＥＤランプ２９を点滅させることで、中断処理があることをユーザに通知してもよい。Ｓ５０３で通知を行った後、及び、一致しない場合は（Ｓ５０２：ＮＯ）、Ｓ５０４に進む。
【００７７】
Ｓ５０４では、ＥＥＰＲＯＭ８４に格納されたすべてのバックアップデータ要素をチェックしたかを判断する。すべてチェックしていないと判断すると（Ｓ５０４：ＮＯ）、Ｓ５０１に戻る。すべてチェックしたと判断すると（Ｓ５０４：ＹＥＳ）、中断処理のあり／なし通知処理を終了する。
【００７８】
このように、本実施形態では、中断処理情報を携帯端末１１０に通知する通知処理（Ｓ５０３）を行うので、ユーザが原稿を読取装置３０に置き忘れていたとしても、それをユーザに知らせることができる。
【００７９】
Ｓ７で中断処理再開命令を携帯端末１１０から受信したと判断すると（Ｓ７：ＹＥＳ）、リストア処理を行う。
【００８０】
リストア処理の詳細を図１１に示す。リストア処理においては、まず、Ｓ３２１において、ＥＥＰＲＯＭ８４に格納された一又は複数のバックアップデータ要素から、まだ次に行うＳ３２２でのチェック対象となっていない一つのバックアップデータ要素をピックアップする（Ｓ３２１）。各バックアップデータ要素は、バックアップ処理（Ｓ２５）でＥＥＰＲＯＭ８４に格納されたものである。上述したように各バックアップデータ要素は、画像データ、実施モード設定、年月日を含むバックアップ時刻、携帯端末１１０のＩＰアドレス、及び、携帯端末１１０の電話番号のデータを含んでいる。なお、Ｓ３２１でのピックアップの順序は問わないが、一例としてバックアップ時刻が古いものから順にピックアップしてよい。
【００８１】
Ｓ３２２では、Ｓ３２１でピックアップされた一つのバックアップデータ要素に含まれるＩＰアドレスが、Ｓ２０で受信した端末状態データに含まれるＩＰアドレスと一致するかをチェックする。一致する場合は（Ｓ５０２：ＹＥＳ）、Ｓ３２３において、成功フラグをオンとする（このフラグは制御部１１１内の記憶装置に記憶される）。そして、Ｓ３２１でピックアップされた一つのバックアップデータ要素に含まれる画像データ及び実施モード設定をＥＥＰＲＯＭ８４から読み出して、読み出した画像データを当該実施モード設定に基づいたプリント部１０等による画像出力に用いられる画像データとしてＲＡＭ８３に記憶させ、リストア処理を終了する。これによって、中断した読取処理を、最初からではなく、続きから再開させることができる。
【００８２】
Ｓ３２５では、ＥＥＰＲＯＭ８４に格納されたすべてのバックアップデータ要素をチェックしたかを判断する。すべてチェックしていないと判断すると（Ｓ３２５：ＮＯ）、Ｓ２１１に戻る。すべてチェックしたと判断すると（Ｓ３２５：ＹＥＳ）、リストア処理を終了する。
【００８３】
そして、Ｓ３１において、成功フラグがオンとなっているか否かを判断する。成功フラグがオンであれば（Ｓ３１：ＹＥＳ）、Ｓ１２に進み、成功フラグがオフであれば（Ｓ３１：ＮＯ）、Ｓ６に戻る。
【００８４】
リストア処理の成功後にＳ１２に戻ると、読取完了通知（Ｓ１２）が携帯端末１１０に送信され、次の原稿がなくなるまで読取処理（Ｓ１１）が繰り返し行われてから、読取後処理（Ｓ１５）で画像出力が行われる。なお、１回の読取後処理（Ｓ１５）が行われるまでに複数回のバックアップ処理（Ｓ２５）が行われてもよい。
【００８５】
（携帯端末の動作）
次に、中断後の処理再開に関する携帯端末１１０の動作を説明する。上述したように、携帯端末１１０は、複合機１との接続が開始されて通信が確立してから（Ｓ５１）、中断処理情報通知（図１０のＳ５０３）の有無判断（Ｓ５２）を行う。そして、中断処理情報通知があると判断すると（Ｓ５２：ＹＥＳ）、Ｓ７２において、複合機アプリの操作画面に「中断された処理があります。処理を再開しますか？」といったテキストメッセージと、「はい」及び「いいえ」というアイコンとを表示させる。
【００８６】
Ｓ７２において複合機アプリの操作画面への表示を行ってから、Ｓ７１を経てＳ５３に進む。Ｓ５３において、中断処理再開スタート操作がされた、つまりユーザによって複合機アプリの操作画面に表示された「はい」がタッチされた場合には（Ｓ５３：ＹＥＳ）、Ｓ７３において、中断処理再開命令が複合機１に通知され、Ｓ５８に進む。
【００８７】
以上説明した複合機１では、複数の原稿に係る複数の読取処理（Ｓ１１）が中断後に再開した場合に、リストア処理（Ｓ３０）された中断前に読み取った原稿に係る画像データと、その後に行われた残りの読取処理で生成された画像データとを用いて画像の出力を行うことができる。したがって、再開後に読み取り済みの原稿を再度読み取る必要なく、両面コピー、２ｉｎ１、ソートコピーなどを行うことができる。
【００８８】
＜変形例＞
次に、上述した実施形態の様々な変形例について説明する。上述した実施形態では、複合機１に出力動作プログラムがインストールされており、複合機１の制御部８が、この出力動作プログラムに基づいて各種の処理（読取処理（Ｓ１１）、バックアップ処理（Ｓ２５）、通知処理（Ｓ５０３）、リストア処理（Ｓ３０）、読取後処理つまり画像出力処理（Ｓ１５）など）を行うようになっているが、これらの処理を複合機１に行わせるためのプログラム（端末動作プログラム）が携帯端末１１０にインストールされていてもよい。この場合、端末動作プログラムは、複合機１に、読取処理（Ｓ１１）と、バックアップ処理（Ｓ２５）と、通知処理（Ｓ５０３）と、リストア処理（Ｓ３０）と、読取後処理つまり画像出力処理（Ｓ１５）とを実行させる。
【００８９】
その他、上述した実施形態は、以下のように変更することが可能である。
・上述した実施形態では、タイムアウト（Ｓ１９：ＹＥＳ）及び通話中（Ｓ２１：ＹＥＳ）と判断した場合に、それまでに行った読取処理（Ｓ１１）で生成された画像データに基づいた画像出力を行わないが、この画像出力を行うようにしてもよい。
【００９０】
・Ｓ１９はタイムアウト以外の事象が起こったことを判断するものであってもよい。一例として、ユーザが複合機アプリの操作画面に表示された所定のアイコン（「印刷を一次休止して後ほど再開します」と表示されたもの）をタッチしたなどのその他の所定事象が発生したことであってもよい。その場合Ｓ２１は不要で、Ｓ２３を行えばよい。
・年月日を含むバックアップ時刻の代わりに、時データとして、時刻を含まない日付データ、日付を含まない時刻データなどをバックアップデータ要素の一部として記憶してもよい。
【００９１】
・上述した実施形態で行ったバックアップ判定（Ｓ２３）を行わず、タイムアウト（Ｓ１９）などの所定事象が発生したときに、バックアップ処理（Ｓ２５）を行うようにしてもよい。その場合、１つの端末装置に対して複数のバックアップデータ要素が記憶されることがあるが、そのような場合にはリストア処理時にユーザにいずれのバックアップデータ要素をリストアするかを問い合わせるようにしてよい。
・リマインド通知（Ｓ３）を行わなくてもよい。
【００９２】
・バックアップデータ要素は、画像データと携帯端末１１０の識別情報を含んでいればよい。したがって、実施モード設定、時データは必ずしも必要ではなく、携帯端末１１０のＩＰアドレス、及び、携帯端末１１０の電話番号はいずれか一方だけであってもよい。実施モード設定を含んでいない場合は、例えばリストア処理（Ｓ３０）時に携帯端末１１０に実施モード設定に係るデータを送信するように要求すればよい。また、時データを含んでいない場合は、Ｓ３０２の判断において未通知であるか否かを判断すればよい。また、Ｓ３０５に代えて、ＥＥＰＲＯＭ８４の空き容量が所定値以下であるかを判断し、所定値以下の場合に当該バックアップデータ要素を削除するようにしてもよい。なお、識別情報はＩＰアドレス及び電話番号以外、例えばＭＡＣアドレスなどでもよい。
【００９３】
・本発明は原稿自動送り装置を用いた場合にも適用可能である。その場合は、本実施形態のように１枚ごとに原稿を複合機上のフラットベッドにセットするのではなく、セットした原稿がなくなる毎にＡＤＦに原稿をセットすることになる。
・上述した実施形態では実施モードチェック（Ｓ９，Ｓ５６）を複合機及び携帯端末のそれぞれで行うようにしているが、どちらか一方で行ってその結果を他方に送信するようにしてもよい。また、複合機と携帯端末は有線接続されていてもよい。携帯端末は電話機以外であってもよい。また、画像出力装置と通信可能な装置であれば、携帯端末ではない端末装置を使用することもできる。
【００９４】
・上述した実施形態における複合機１は、液晶パネルなどのディスプレイを含んでいないものであったが、本発明において、複合機はディスプレイを有するものであってもよい。また、上述の実施形態では、ノズルから吐出されたインクによって画像の記録を行うインクジェット式の画像記録部を有する複合機を例に説明したが、本発明は、例えばレーザ式などインクジェット式以外の記録形式の画像記録部を有する複合機にも適用することが可能である。
【符号の説明】
【００９５】
１  複合機（画像出力装置）
６  記録部
７  搬送部
８  制御部
１０  プリント部（画像出力部）
２６  ファクシミリ及び電話通信部（画像出力部）
２７  ネットワーク通信部（通信部）
３０  読取部
４１  イメージセンサ
８４  ＥＥＰＲＯＭ（記憶部）
１１０  携帯端末
１１１  制御部
１１２  ディスプレイ
【図１】
2020167505.tif 000003
【図２】
2020167505.tif 000004
【図３】
2020167505.tif 000005
【図４】
2020167505.tif 000006
【図５】
2020167505.tif 000007
【図６】
2020167505.tif 000008
【図７】
2020167505.tif 000009
【図８】
2020167505.tif 000010
【図９】
2020167505.tif 000011
【図１０】
2020167505.tif 000012
【図１１】
2020167505.tif 000013